Podtech/llm-jp-corpus-v4-ja_patent huggingface dataset:
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
キャラクタ属性が付与されたゲーム媒体を、少なくとも１つ以上含んだ媒体群を生成する群生成機能と、
キャラクタのパラメータを変化させるための育成ゲームを制御するゲーム制御機能と、
前記育成ゲームにおけるイベントの発生を所定の確率に基づいて決定し、イベントの発生が決定した場合に、発生するイベントの内容を抽選により決定する抽選機能と、
をコンピュータに実現する情報処理プログラムであって、
前記抽選機能は、
前記イベントを前記キャラクタ属性に紐付けて管理し、
前記媒体群に含まれる前記ゲーム媒体に付与された前記キャラクタ属性と、前記媒体群に含まれる前記ゲーム媒体とに対応するイベントの確率を、前記媒体群に前記ゲーム媒体が含まれていない場合の確率よりもそれぞれ上昇させ、
前記イベントの内容を、前記確率に基づいて決定する、
情報処理プログラム。
【請求項２】
前記確率が、前記キャラクタに紐付けて管理される前記イベントの全てにおいて、正の値になるように設定される請求項１に記載の情報処理プログラム。
【請求項３】
前記ゲーム制御機能は、前記育成ゲームにおいて前記パラメータを変化させる対象とする育成対象キャラクタを決定し、
前記抽選機能は、前記育成対象キャラクタのキャラクタ属性のイベントを発生させない請求項１又は２に記載の情報処理プログラム。
【請求項４】
前記ゲーム制御機能は、前記育成ゲームにおいて前記パラメータを変化させる対象とする育成対象キャラクタを決定し、
前記群生成機能は、前記媒体群を生成するために前記ゲーム媒体の選択を受け付ける場合に、前記育成対象キャラクタのキャラクタ属性が付与されたゲーム媒体の選択は受け付けない請求項１乃至３の何れか１項に記載の情報処理プログラム。
【請求項５】
前記抽選機能は、
前記媒体群に同一のキャラクタ属性が付与されたゲーム媒体が複数含まれる場合は、前記媒体群に該キャラクタ属性が付与されたゲーム媒体が単数含まれる場合よりも、該キャラクタ属性に対応するイベントの前記確率を上昇させる請求項１乃至４の何れか１項に記載の情報処理プログラム。
【請求項６】
前記抽選機能は、
前記媒体群に同一のゲーム媒体が複数含まれる場合は、前記媒体群に該ゲーム媒体が単数含まれる場合よりも、該ゲーム媒体に対応するイベントの前記確率を上昇させる請求項１乃至５の何れか１項に記載の情報処理プログラム。
【請求項７】
キャラクタ属性が付与されたゲーム媒体を、少なくとも１つ以上含んだ媒体群を生成する群生成手段と、
キャラクタのパラメータを変化させるための育成ゲームを制御するゲーム制御手段と、
前記育成ゲームにおけるイベントの発生を所定の確率に基づいて決定し、イベントの発生が決定した場合に、発生するイベントの内容を抽選により決定する抽選手段と、
を備え、
前記抽選手段は、
前記イベントを前記キャラクタ属性に紐付けて管理し、
前記媒体群に含まれる前記ゲーム媒体に付与された前記キャラクタ属性と、前記媒体群に含まれる前記ゲーム媒体とに対応するイベントの確率を、前記媒体群に前記ゲーム媒体が含まれていない場合の確率よりもそれぞれ上昇させ、
前記イベントの内容を、前記確率に基づいて決定する、
サーバ。
【請求項８】
端末と、前記端末と通信可能に接続されたサーバとを含む情報処理システムであって、
前記端末は、
プレイヤから、キャラクタ属性が付与されたゲーム媒体であって、媒体群に含ませる少なくとも１つ以上のゲーム媒体の選択を受け付ける受付手段と、
前記受付手段が受け付けた、前記プレイヤが選択した少なくとも１つ以上のゲーム媒体を前記サーバに通知する端末側通知手段と、
を備え、
前記サーバは、
前記端末側通知手段から通知された、前記プレイヤが選択したゲーム媒体を含んだ媒体群を生成する群生成手段と、
キャラクタのパラメータを変化させるための育成ゲームを制御するゲーム制御手段と、
前記育成ゲームにおけるイベントの発生を所定の確率に基づいて決定し、イベントの発生が決定した場合に、発生するイベントの内容を抽選により決定する抽選手段と、
を備え、
前記抽選手段は、
前記イベントを前記キャラクタ属性に紐付けて管理し、
前記媒体群に含まれる前記ゲーム媒体に付与された前記キャラクタ属性と、前記媒体群に含まれる前記ゲーム媒体とに対応するイベントの確率を、前記媒体群に前記ゲーム媒体が含まれていない場合の確率よりもそれぞれ上昇させ、
前記イベントの内容を、前記確率に基づいて決定する、
情報処理システム。
【請求項９】
プレイヤから、キャラクタ属性が付与されたゲーム媒体であって、媒体群に含ませる少なくとも１つ以上のゲーム媒体の選択を受け付ける受付手段と、
前記受付手段が受け付けた、前記プレイヤが選択したゲーム媒体を含んだ媒体群を生成する群生成手段と、
キャラクタのパラメータを変化させるための育成ゲームを制御するゲーム制御手段と、
前記育成ゲームにおけるイベントの発生を所定の確率に基づいて決定し、イベントの発生が決定した場合に、発生するイベントの内容を抽選により決定する抽選手段と、
を備え、
前記抽選手段は、
前記イベントを前記キャラクタ属性に紐付けて管理し、
前記媒体群に含まれる前記ゲーム媒体に付与された前記キャラクタ属性と、前記媒体群に含まれる前記ゲーム媒体とに対応するイベントの確率を、前記媒体群に前記ゲーム媒体が含まれていない場合の確率よりもそれぞれ上昇させ、
前記イベントの内容を、前記確率に基づいて決定する、
情報処理装置。
【手続補正書】
【提出日】令和3年7月21日(2021.7.21)
【手続補正１】
【補正対象書類名】明細書
【補正対象項目名】０００６
【補正方法】変更
【補正の内容】
【０００６】
本発明に係るプレス装置は、
複数工程の成形を行うＮ個（Ｎは２以上の整数）の金型と、
外部から搬入されたワークを前記Ｎ個の金型の間で搬送しかつ外部に搬出する搬送機構と、
前記Ｎ個の金型の各々においてワークがあるか否かを識別するワーク識別部と、
前記Ｎ個の金型に作用する総合の荷重を測定する荷重測定部と、
前記Ｎ個の金型を用いて複数のワークを１回のストロークで成形する処理を繰り返し、各ワークに前記複数工程の成形を実施する成形処理部と、
前記荷重測定部により測定された総合の荷重と、前記ワーク識別部の識別結果とを用いて、各金型に作用する荷重を算出する個別荷重算出部と、
を備える構成とした。
【手続補正２】
【補正対象書類名】特許請求の範囲
【補正対象項目名】全文
【補正方法】変更
【補正の内容】
【特許請求の範囲】
【請求項１】
複数工程の成形を行うＮ個（Ｎは２以上の整数）の金型と、
外部から搬入されたワークを前記Ｎ個の金型の間で搬送しかつ外部に搬出する搬送機構と、
前記Ｎ個の金型の各々においてワークがあるか否かを識別するワーク識別部と、
前記Ｎ個の金型に作用する総合の荷重を測定する荷重測定部と、
前記Ｎ個の金型を用いて複数のワークを１回のストロークで成形する処理を繰り返し、各ワークに前記複数工程の成形を実施する成形処理部と、
前記荷重測定部により測定された総合の荷重と、前記ワーク識別部の識別結果とを用いて、各金型に作用する荷重を算出する個別荷重算出部と、
を備えるプレス装置。
【請求項２】
前記搬送機構は、前記成形処理部による各回の成形処理の前に前記Ｎ個の金型のうち１以上に予め定められたパターンでワークが配置されるようにワークを搬送する第１搬送パターンと、前記第１搬送パターンのとは異なるパターンでワークが配置されるようにワークを搬送する第２搬送パターンとに切替可能であり、
前記個別荷重算出部は、前記搬送機構が前記第２搬送パターンでワークを搬送する期間に、前記荷重測定部により測定された総合の荷重と、前記ワーク識別部の識別結果とを用いて、各金型に作用する荷重を算出する、
請求項１記載のプレス装置。
【請求項３】
複数工程の成形を行うＮ個（Ｎは２以上の整数）の金型と、
外部から搬入されたワークを前記Ｎ個の金型の間で搬送しかつ外部に搬出する搬送機構と、
前記Ｎ個の金型の各々においてワークがあるか否かを識別するワーク識別部と、
前記Ｎ個の金型に作用する総合の荷重を測定する荷重測定部と、
前記荷重測定部により測定された総合の荷重と、前記ワーク識別部の識別結果とを用いて、各金型に作用する荷重を算出する個別荷重算出部と、
前記Ｎ個の金型を用いて複数のワークを１回のストロークで成形する処理を繰り返し、各ワークに前記複数工程の成形を実施する成形モードと、前記個別荷重算出部により各金型に作用する荷重を個別に算出させる荷重算出モードとに切り替え可能なモード制御部と、
を備えるプレス装置。
【請求項４】
前記搬送機構は、各回の成形処理の前に前記Ｎ個の金型のうち１以上に予め定められたパターンでワークが配置されるようにワークを搬送する第１搬送パターンと、前記第１搬送パターンのとは異なるパターンでワークが配置されるようにワークを搬送する第２搬送パターンとに切替可能であり、
前記荷重算出モードにおいて前記搬送機構は前記第２搬送パターンでワークを搬送させる、
請求項３記載のプレス装置。
【請求項５】
前記第２搬送パターンにおいて前記Ｎ個の金型にワークが配置されるパターンは、前記第１搬送パターンにおいて前記Ｎ個の金型にワークが配置されるパターンから１つ又は複数のワークが除外されたパターンである、
請求項４記載のプレス装置。
【請求項６】
前記成形モードと前記荷重算出モードとを切り替え可能な操作部を更に備える、
請求項３から請求項５のいずれか一項に記載のプレス装置。
【請求項７】
前記個別荷重算出部が算出した各金型に作用する荷重の趨勢を表示するデータ処理部を更に備える、請求項１から請求項６のいずれか一項に記載のプレス装置。
【請求項８】
前記個別荷重算出部が算出した各金型に作用する荷重のデータに基づいて、警告を行う異常判別処理部を更に備える、請求項１から請求項７のいずれか一項に記載のプレス装置。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
記録ヘッドのインク吐出口が開口するインク吐出面にキャップを行うキャップ部材であって、
底面部と、前記底面部から立設され前記インク吐出面に接触する環状の側面部とを有する弾性体からなるキャップ部とを備え、
前記キャップ部の前記底面部には、前記底面部の上面から突出する第１リブにより構成される溝部が設けられており、
前記第１リブの上端には、前記溝部を覆う蓋部材が密着して設けられており、
前記溝部と前記蓋部材とによって空気が通過する空気通路が構成されており、
前記空気通路の一端部は、前記キャップ部の内部空間と連通し、
前記空気通路の他端部は、前記キャップ部の外部と連通することを特徴とするキャップ部材。
【請求項２】
前記キャップ部の前記底面部の下面を支持する支持部材をさらに備え、
前記空気通路の一端部には、前記空気通路と前記キャップ部の内部空間とを連通する第１連通口が設けられており、
前記空気通路の他端部において、前記溝部の底面には、第２連通口が設けられており、
前記支持部材の前記第２連通口に対応する部分には、前記第２連通口を介して前記空気通路と前記キャップ部の外部とを連通する第３連通口が設けられていることを特徴とする請求項１に記載のキャップ部材。
【請求項３】
前記第１連通口は、前記蓋部材に設けられていることを特徴とする請求項２に記載のキャップ部材。
【請求項４】
前記第１連通口の周縁部は、前記蓋部材の上面から上方に突出していることを特徴とする請求項３に記載のキャップ部材。
【請求項５】
前記空気通路は、複数設けられていることを特徴とする請求項１〜４のいずれか１項に記載のキャップ部材。
【請求項６】
前記溝部は、複数設けられており、
複数の前記溝部と１個の前記蓋部材とによって、複数の前記空気通路が構成されていることを特徴とする請求項５に記載のキャップ部材。
【請求項７】
前記キャップ部の前記底面部には、前記底面部の上面から前記第１リブと同じ量だけ突出するとともに、上端に密着して前記蓋部材が配置される第２リブが設けられていることを特徴とする請求項１〜６のいずれか１項に記載のキャップ部材。
【請求項８】
前記第１リブおよび前記第２リブは、それぞれ複数設けられており、
前記第１リブは、前記蓋部材の縁部に沿って、かつ、前記キャップ部の中心に対して点対称の位置に設けられており、
前記第２リブは、前記蓋部材の縁部のうちの前記第１リブが設けられていない部分に沿って、かつ、前記キャップ部の中心に対して点対称の位置に設けられていることを特徴とする請求項７に記載のキャップ部材。
【請求項９】
請求項１〜８のいずれか１項に記載のキャップ部材と、
記録媒体上にインクを吐出する前記記録ヘッドとを備えることを特徴とするインクジェット記録装置。
【請求項１０】
請求項３または４に記載のキャップ部材と、
記録媒体上にインクを吐出する前記記録ヘッドとを備え、
前記第１連通口は、前記キャップ部を前記記録ヘッドにキャッピングした状態で前記記録ヘッドの前記インク吐出口の真下の位置から退避した退避位置に設けられていることを特徴とするインクジェット記録装置。
【手続補正２】
【補正対象書類名】明細書
【補正対象項目名】００１２
【補正方法】変更
【補正の内容】
【００１２】
上記目的を達成するために、本発明の第１の局面のキャップ部材は、記録ヘッドのインク吐出口が開口するインク吐出面にキャップを行うキャップ部材であって、底面部と、底面部から立設されインク吐出面に接触する環状の側面部とを有する弾性体からなるキャップ部とを備える。キャップ部の底面部には、底面部の上面から突出する第１リブにより構成される溝部が設けられている。第１リブの上端には、溝部を覆う蓋部材が密着して設けられている。溝部と蓋部材とによって空気が通過する空気通路が構成されている。空気通路の一端部は、キャップ部の内部空間と連通し、空気通路の他端部は、キャップ部の外部と連通する。
【手続補正３】
【補正対象書類名】明細書
【補正対象項目名】００１４
【補正方法】変更
【補正の内容】
【００１４】
また、キャップ部の底面部には、底面部の上面から突出する第１リブにより構成される溝部が設けられており、第１リブの上端には、溝部を覆う蓋部材が密着して設けられており、溝部と蓋部材とによって空気が通過する空気通路が構成されている。これにより、上記従来のインクジェット記録装置とは異なり、キャップ部とチューブとの接続部分が存在しないので、接続部分から蒸気（気化したインク）が漏れることがない。また、空気通路の側面（第１リブ）や上面（蓋部材）から蒸気が漏れた（蒸気が空気通路の側面や上面を厚み方向に透過した）としても、蒸気がキャップ部の内部空間に戻るだけなので、キャップ部の内部空間は乾燥しない。したがって、キャップ部の内部空間が乾燥するのを抑制することができるので、インク吐出口が目詰まりするのを抑制することができる。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
水平方向の一方向に沿って長手方向を有するとともに前記長手方向に沿って木材を搬送可能な木材搬送装置と、
前記木材搬送装置の前記長手方向の一方に配置される多軸工作機械であって、第１工具を装着可能なスピンドルと、前記スピンドルを移動するための互いに直交する２軸以上の直動軸及び２軸以上の回転軸を有するスピンドル移動装置と、を含む多軸工作機械と、
前記木材搬送装置の前記長手方向の他方に前記木材搬送装置に沿うように配置される多関節ロボットであって、第２工具を含む工具ユニットを装着可能なリストと、前記リストを移動するための６軸以上の回転軸を有するアームと、を含む少なくとも１つの多関節ロボットと、
前記木材に関する情報と前記木材の加工に関する情報とを含む木材情報データに基づき、前記多軸工作機械と前記多関節ロボットの加工の役割分担を決定し、前記多軸工作機械と前記多関節ロボットの加工動作を制御する制御装置と、を備える木材加工システム。
【請求項２】
前記少なくとも１つの多関節ロボットは、
第１多関節ロボットと、前記木材搬送装置を挟んで前記第１多関節ロボットとは反対側に配置される第２多関節ロボットと、を含む
請求項１に記載の木材加工システム。
【請求項３】
前記木材加工システムは、
前記少なくとも１つの多関節ロボットを前記木材搬送装置の前記長手方向に沿って搬送可能な多関節ロボット搬送装置をさらに備える
請求項１又は２に記載の木材加工システム。
【請求項４】
前記木材加工システムは、
前記木材を撮影可能な撮影装置と、
前記撮影装置により撮影された撮影画像を画像処理することにより前記木材の位置座標を検出する画像処理装置と、をさらに備える
請求項１乃至３の何れか１項に記載の木材加工システム。
【請求項５】
前記画像処理装置は、前記撮影画像を画像処理することにより前記木材の木目又は節の少なくとも何れか一方を検出可能に構成され、
前記多軸工作機械又は前記多関節ロボットの少なくとも一方は、前記木材の木目又は節の位置に応じた加工動作を行う
請求項４に記載の木材加工システム。
【請求項６】
前記木材搬送装置は、
前記長手方向に沿って延在する走行レールと、
前記走行レールの上に配置されて前記木材を支持可能に構成されているとともに前記走行レールの前記長手方向に沿って往復動可能な作業台と、を含む
請求項１乃至５の何れか１項に記載の木材加工システム。
【請求項７】
前記スピンドル移動装置の２軸以上の直動軸は、
前記木材搬送装置の前記長手方向に直交する水平方向に沿って延在する水平直動軸と、
鉛直方向に沿って延在する鉛直直動軸と、を含む
請求項６に記載の木材加工システム。
【請求項８】
前記多軸工作機械は、
前記木材搬送装置の前記長手方向に直交する方向に沿って前記木材搬送装置を挟んで互いに離れて立設する一対のコラムをさらに含み、
前記多軸工作機械の前記スピンドル移動装置は、
前記一対のコラムに架け渡されるとともに前記一対のコラムに支持されるクロスレールと、前記スピンドルを支持するとともに前記クロスレールに支持されるスピンドル支持部と、を含む
請求項１乃至７の何れか１項に記載の木材加工システム。
【請求項９】
前記多関節ロボットは、接地面の上に載せられるロボットベースをさらに含み、
前記アームは、前記ロボットベースに支持されるとともに前記リストを支持する
請求項１乃至８の何れか１項に記載の木材加工システム。
【請求項１０】
前記木材加工システムは、前記第１工具を装着可能な第１ツールマガジンを含むとともに前記第１工具を交換可能な工具交換装置をさらに備える
請求項１乃至９の何れか１項に記載の木材加工システム。
【請求項１１】
前記木材加工システムは、前記第２工具を装着可能な第２ツールマガジンをさらに備える
請求項１乃至１０の何れか１項に記載の木材加工システム。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
液体を外部に噴射する液体噴射ヘッドであって、
前記液体を噴射するノズルが形成されたノズルプレートと、
前記ノズルが配置された連通路と、前記連通路に連通する圧力室とを含む個別流路であって、前記ノズルと連通する個別流路と、
前記個別流路に設けられ、前記ノズルから前記液体を噴射させる圧力発生部と、
複数の前記個別流路に共通に連通し、前記複数の個別流路との間で前記液体を給排する共通流路と、
前記共通流路における圧力の変化を吸収する平面状の吸振体と、を備え、
前記吸振体は、一方の面が、前記共通流路の内壁の一部となり、
前記ノズルプレートは、一方の面が、前記吸振体とは別の位置での前記共通流路の内壁の一部となる、液体噴射ヘッド。
【請求項２】
請求項１に記載の液体噴射ヘッドであって、
前記ノズルプレートは、他方の面が、前記液体噴射ヘッドの外壁の一部となる位置に配設された、液体噴射ヘッド。
【請求項３】
請求項１または請求項２に記載の液体噴射ヘッドであって、
前記吸振体は、他方の面が、前記液体噴射ヘッドの外壁の一部となる位置に配設された、液体噴射ヘッド。
【請求項４】
請求項１または請求項２に記載の液体噴射ヘッドであって、
前記吸振体は、他方の面が、前記液体噴射ヘッドの内側に空隙を形成する位置に配設された、液体噴射ヘッド。
【請求項５】
請求項１から請求項４までのいずれか一項に記載の液体噴射ヘッドであって、
前記吸振体の前記一方の面は、前記液体が前記個別流路と前記共通流路とを含む流路の内部を流通される場合において前記ノズルの外壁側の気圧よりも低い内圧を有する側の前記流路の前記内壁を構成する、液体噴射ヘッド。
【請求項６】
請求項１から請求項５のいずれか一項に記載の液体噴射ヘッドであって、
前記吸振体の前記一方の面は、前記液体が前記個別流路と前記共通流路とを含む流路の内部を流通される場合において前記連通路の内圧よりも低い内圧を有する側の前記流路の前記内壁を構成し、
前記ノズルプレートの前記一方の面は、前記流通される場合において前記連通路の前記内圧よりも高い内圧を有する側の前記流路の前記内壁を構成する、液体噴射ヘッド。
【請求項７】
請求項１から請求項６のいずれか一項に記載の液体噴射ヘッドであって、
前記共通流路は、前記液体が供給される第一共通流路と、前記個別流路を通過した前記液体が受け入れられる第二共通流路と、を備え、
前記個別流路が、前記第一共通流路と前記第二共通流路とを接続する、液体噴射ヘッド。
【請求項８】
請求項７に記載の液体噴射ヘッドであって、
前記吸振体は、前記第一共通流路または前記第二共通流路のいずれか一方の前記共通流路の前記内壁の一部のみを構成する、液体噴射ヘッド。
【請求項９】
請求項７または請求項８に記載の液体噴射ヘッドであって、
前記個別流路は、
前記第一共通流路に接続される第一個別流路と、
前記第二共通流路に接続される第二個別流路と、を備え、
前記第一個別流路の一部は、前記ノズルプレートの前記内壁によって構成される、液体噴射ヘッド。
【請求項１０】
請求項９に記載の液体噴射ヘッドであって、
更に、前記圧力室と前記第二共通流路とを接続する供給路を備え、
前記第一個別流路のイナータンスは、前記圧力室のイナータンスの２分の１と、前記供給路のイナータンスとを足し合わせたイナータンスよりも大きい、液体噴射ヘッド。
【請求項１１】
請求項１０に記載の液体噴射ヘッドであって、
前記第一個別流路および前記第一共通流路の前記内壁の一部は、前記ノズルプレートによって構成される、液体噴射ヘッド。
【請求項１２】
請求項１１に記載の液体噴射ヘッドであって、
前記第一個別流路は、前記第一共通流路の前記ノズルプレートの前記内壁に沿った位置で、前記第一共通流路に直接接続している、液体噴射ヘッド。
【請求項１３】
請求項７から請求項１２までのいずれか一項に記載の液体噴射ヘッドであって、
前記第一共通流路に、前記第二共通流路が前記複数の個別流路からなる個別流路群によって接続された循環流路、を備え、
２つの前記第二共通流路が２つの前記個別流路群によって１つの前記第一共通流路に対して接続された２つの前記循環流路を備える、液体噴射ヘッド。
【請求項１４】
請求項７から請求項１２までのいずれか一項に記載の液体噴射ヘッドであって、
前記第二共通流路に、前記第一共通流路が前記複数の個別流路からなる個別流路群によって接続された循環流路、を備え、
２つの前記第一共通流路が２つの前記個別流路群によって１つの前記第二共通流路に対して接続された２つの前記循環流路を備える、液体噴射ヘッド。
【請求項１５】
請求項１から請求項１４までのいずれか一項に記載の液体噴射ヘッドであって、
更に、前記吸振体の他方の面側を保護するカバー部を備える、液体噴射ヘッド。
【請求項１６】
請求項１から請求項１５までのいずれか１項に記載の液体噴射ヘッドと、
前記液体噴射ヘッドを制御する制御ユニットと、を有する、液体噴射装置。
【手続補正２】
【補正対象書類名】明細書
【補正対象項目名】発明の名称
【補正方法】変更
【補正の内容】
【発明の名称】液体噴射ヘッドおよび液体噴射装置
【手続補正３】
【補正対象書類名】明細書
【補正対象項目名】０００６
【補正方法】変更
【補正の内容】
【０００６】
本発明の一形態によれば、液体を外部に噴射する液体噴射ヘッドが提供される。この液体噴射ヘッドは、前記液体を噴射するノズルが形成されたノズルプレートと、前記ノズルが配置された連通路と、前記連通路に連通する圧力室とを含む個別流路であって、前記ノズルと連通する個別流路と、前記個別流路に設けられ、前記ノズルから前記液体を噴射させる圧力発生部と、複数の前記個別流路に共通に連通し、前記複数の個別流路との間で前記液体を給排する共通流路と、前記共通流路における圧力の変化を吸収する平面状の吸振体と、を備える。前記吸振体は、一方の面が、前記共通流路の内壁の一部となり、前記ノズルプレートは、一方の面が、前記吸振体とは別の位置での前記共通流路の内壁の一部となる。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
液体を噴射するノズルを複数有する液体噴射装置であって、
前記ノズルと連通する圧力室と、
前記圧力室の圧力を変化させる圧力発生部と、
前記圧力室への前記液体の供給と、前記圧力室を通過した前記液体の回収とを実施する液体供給部と、
前記ノズルからの液体噴射を求める液体噴射要求に対応した前記圧力室の前記圧力発生部を駆動する制御部と、
前記圧力発生部の駆動に伴う圧力変化により前記圧力室の前記液体に起きた残留振動の振動推移を用いて前記液体噴射の不良の発生を判定する噴射不良判定部とを備え、
前記制御部は、
前記噴射不良判定部により前記液体噴射の不良が生じたとされた噴射不良圧力室の前記圧力発生部を、少なくとも一定の停止期間に亘り駆動停止とする、
液体噴射装置。
【請求項２】
請求項１に記載の液体噴射装置であって、
前記ノズルを複数有するノズル列を有すると共に、前記圧力室と前記圧力発生部とを搭載した印刷ヘッドと、
前記印刷ヘッドを、前記液体の噴射対象物に対して走査させるヘッド移動機構とを備え、
前記制御部は、
前記ヘッド移動機構を制御して前記印刷ヘッドを走査させつつ、前記圧力発生部を駆動する、
液体噴射装置。
【請求項３】
請求項２に記載の液体噴射装置であって、
前記制御部は、
前記停止期間において、前記噴射不良圧力室に隣接する隣接圧力室のノズルからの液体噴射を、前記噴射不良圧力室に求められていた液体噴射を補完するように噴射液滴量を増大させた補完噴射液滴量で実行する、
液体噴射装置。
【請求項４】
請求項３に記載の液体噴射装置であって、
前記印刷ヘッドは、前記ノズル列を前記走査の方向において少なくとも２列に並べて備え、
前記制御部は、
前記噴射不良圧力室と前記走査の方向において隣接する前記隣接圧力室の前記ノズルからの液体噴射を、前記補完噴射液滴量で実行する、
液体噴射装置。
【請求項５】
請求項１から請求項４のいずれか一項に記載の液体噴射装置であって、
前記制御部は、
前記噴射不良圧力室の前記停止期間において、前記噴射不良圧力室の前記圧力発生部を、前記噴射不良圧力室の前記ノズルからの液体噴射を起こさない圧力変化が前記噴射不良圧力室に起きるように駆動し、
前記噴射不良判定部は、
前記停止期間において、前記噴射不良圧力室の前記圧力発生部の駆動に伴う圧力変化による前記液体の残留振動の振動推移を用いた前記液体噴射の不良の発生の再判定を前記噴射不良圧力室について繰り返し、
更に、前記制御部は、
前記噴射不良判定部が前記再判定において前記噴射不良圧力室の前記ノズルからの液体噴射に不良がないと判定すると、前記停止期間の経過に拘わらず、前記噴射不良圧力室の前記圧力発生部の駆動を再開する、
液体噴射装置。
【請求項６】
請求項５に記載の液体噴射装置であって、
前記噴射不良判定部は、
前記停止期間において前記噴射不良圧力室について行う前記再判定を、前記再判定を行う前の前記判定において前記振動推移を検知する検知周期より長い周期で繰り返し実行する、
液体噴射装置。
【請求項７】
請求項５または請求項６に記載の液体噴射装置であって、
前記ノズルからの液体噴射に起きた噴射不良の回復をもたらす回復部を備え、
前記制御部は、
前記噴射不良判定部が前記噴射不良圧力室について行う前記再判定において前記噴射不良圧力室の前記ノズルからの液体噴射に不良があると所定の不良判定回数に亘り連続して判定すると、前記回復部を駆動して、前記噴射不良圧力室の前記ノズルからの液体噴射不良の回復を図る、
液体噴射装置。
【請求項８】
請求項７に記載の液体噴射装置であって、
前記制御部は、
前記不良判定回数を、前記噴射不良圧力室を通過する液体の通過量が多いほど、または液温が低いほど少なく設定する、
液体噴射装置。
【請求項９】
請求項１から請求項８のいずれか一項に記載の液体噴射装置であって、
前記制御部は、
前記噴射不良圧力室についての前記圧力発生部の前記駆動停止を行うと、前記液体噴射に不良が起きた旨の不良報知を行う、
液体噴射装置。
【請求項１０】
請求項９に記載の液体噴射装置であって、
前記制御部は、
前記不良報知を、前記液体の噴射対象物に前記ノズルからの液体噴射を行って、前記噴射対象物へ前記液体の噴射によるマーキングにより行う、
液体噴射装置。
【請求項１１】
請求項１から請求項１０のいずれか一項に記載の液体噴射装置であって、
前記液体の噴射対象物への前記液体噴射要求に対応した前記ノズルからの液体噴射が完了すると、前記噴射対象物を前記ノズルからの前記液体の噴射領域外の排出箇所へ排出する排出機構を備え、
前記制御部は、
前記噴射不良圧力室の前記ノズルからの液体噴射を受けた前記噴射対象物を、前記噴射不良判定部により前記液体噴射の不良があるとされなかった前記噴射対象物と異なる排出箇所に排出するよう前記排出機構を制御する、
液体噴射装置。
【請求項１２】
請求項１から請求項１１のいずれか一項に記載の液体噴射装置であって、
前記液体供給部は、前記停止期間において前記液体の供給と前記液体の回収を継続する、液体噴射装置。
【請求項１３】
請求項１から請求項１２のいずれか一項に記載の液体噴射装置であって、
前記制御部は、前記停止期間の後、前記圧力発生部の駆動を再開する、液体噴射装置。
【手続補正書】
【提出日】令和3年2月22日(2021.2.22)
【手続補正１】
【補正対象書類名】明細書
【補正対象項目名】０００６
【補正方法】変更
【補正の内容】
【０００６】
従来技術のアンモニアストリッピング処理では、例えば図４に示すフローを採用することが考えられる。すなわち、アンモニア含有廃水１０に対し、アルカリ１１を添加し、ｐＨ調整槽１２において廃水のｐＨを９．３以上好ましくは１１以上に調整し、ｐＨ調整された廃水は、ポンプ１３により、熱交換器１４を通し、ストリッピング塔１５よりポンプ１６により系外に排出される処理水１７と熱交換を行い、加熱した後、流路２０を通してストリッピング塔１５に導入する。
ストリッピング塔１５内では、蒸気又は加熱空気などのストリッピング用気体１８と気液接触し、廃水中のアンモニアは排気ガス１９とし、ストリッピング塔１５より上部排気する。また、アンモニア濃度が下がった処理水１７はストリッピング塔１５下部よりポンプ１６により抜出し、前述の通り、導入廃水と熱交換器１４により熱交換したのち、系外に排出する。接触効率向上のため、ストリッピング塔１５内部には、不規則充填物などの充填材１５ａを充填することが考えられる。
【手続補正２】
【補正対象書類名】図面
【補正対象項目名】図１
【補正方法】変更
【補正の内容】
【図１】
2019166481.tif 000001
【手続補正３】
【補正対象書類名】図面
【補正対象項目名】図２
【補正方法】変更
【補正の内容】
【図２】
2019166481.tif 000002
【手続補正４】
【補正対象書類名】図面
【補正対象項目名】図４
【補正方法】変更
【補正の内容】
【図４】
2019166481.tif 000003
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
入球口への遊技球の入球に基づいて当たりと判定されると、遊技者に有利な特別遊技状態に制御する遊技機において、
移動可能な可動体と、
前記可動体に駆動力を付与可能な駆動手段と、
演出を制御可能な演出制御手段と、を備え、
前記駆動手段の励磁方法には、励磁される励磁相の数が２つである２相励磁と、励磁される励磁相の数が１つ又は２つに交互に切替わる１−２相励磁と、があり、
前記駆動手段は、コイルに対して双方向に電流を流すバイポーラ型のステッピングモータであり、
前記演出制御手段は、
前記駆動手段の励磁方法を前記２相励磁にしつつ、前記可動体を所定の停止位置へ向かって移動させることが可能であり、
前記可動体を前記停止位置で停止させる前に、前記駆動手段の励磁方法を前記２相励磁から前記１−２相励磁に切替可能であることを特徴とする遊技機。
【手続補正２】
【補正対象書類名】明細書
【補正対象項目名】０００６
【補正方法】変更
【補正の内容】
【０００６】
本発明の遊技機は、
入球口への遊技球の入球に基づいて当たりと判定されると、遊技者に有利な特別遊技状態に制御する遊技機において、
移動可能な可動体と、
前記可動体に駆動力を付与可能な駆動手段と、
演出を制御可能な演出制御手段と、を備え、
前記駆動手段の励磁方法には、励磁される励磁相の数が２つである２相励磁と、励磁される励磁相の数が１つ又は２つに交互に切替わる１−２相励磁と、があり、
前記駆動手段は、コイルに対して双方向に電流を流すバイポーラ型のステッピングモータであり、
前記演出制御手段は、
前記駆動手段の励磁方法を前記２相励磁にしつつ、前記可動体を所定の停止位置へ向かって移動させることが可能であり、
前記可動体を前記停止位置で停止させる前に、前記駆動手段の励磁方法を前記２相励磁から前記１−２相励磁に切替可能であることを特徴とする遊技機である。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
入球口への遊技球の入球に基づいて当たりと判定されると、遊技者に有利な特別遊技状態に制御する遊技機において、
移動可能な可動体と、
前記可動体に駆動力を付与可能な駆動手段と、
演出を制御可能な演出制御手段と、を備え、
前記駆動手段は、コイルに対して双方向に電流を流すバイポーラ型のステッピングモータであり、
前記演出制御手段は、
前記可動体の移動を所定の始動位置から開始するときには、前記駆動手段の速度を２００ｐｐｓ以下にすると共に、前記駆動手段の励磁方法を励磁される励磁相が１つ又は２つに交互に切替わる１−２相励磁にすることを特徴とする遊技機。
【請求項２】
請求項１に記載の遊技機において、
前記演出制御手段は、
前記可動体が前記始動位置から移動した後の移動中に、前記駆動手段の励磁方法を前記１−２相励磁から、励磁される励磁相が２つである２相励磁に切替えることを特徴とする遊技機。
【手続補正２】
【補正対象書類名】明細書
【補正対象項目名】０００４
【補正方法】変更
【補正の内容】
【０００４】
ところで、特開２０１０−２０７４３３号公報に記載の遊技機では、駆動手段を駆動させる際の励磁方法を、励磁される励磁相の数が２つである２相励磁（多相励磁）にしている。２相励磁は、駆動手段で高出力（高トルク）を発生させることができるという点で有利である。しかしながら、駆動手段の励磁方法を例えば２相励磁のような高相励磁にして、可動体の移動を所定の始動位置から開始する場合、以下の問題点がある。即ち、駆動手段が高出力を発生させる状態で可動体の移動を急に開始するため、可動体に作用する衝撃（振動）が大きくなり易い。従って、可動体が移動し始めるときの挙動が安定しないおそれがあった。
【手続補正３】
【補正対象書類名】明細書
【補正対象項目名】０００５
【補正方法】変更
【補正の内容】
【０００５】
本発明は上記事情に鑑みてなされたものである。すなわちその課題とするところは、可動体が移動し始めるときの挙動を安定させることが可能な遊技機を提供することにある。
【手続補正４】
【補正対象書類名】明細書
【補正対象項目名】０００６
【補正方法】変更
【補正の内容】
【０００６】
本発明の遊技機は、
入球口への遊技球の入球に基づいて当たりと判定されると、遊技者に有利な特別遊技状態に制御する遊技機において、
移動可能な可動体と、
前記可動体に駆動力を付与可能な駆動手段と、
演出を制御可能な演出制御手段と、を備え、
前記駆動手段は、コイルに対して双方向に電流を流すバイポーラ型のステッピングモータであり、
前記演出制御手段は、
前記可動体の移動を所定の始動位置から開始するときには、前記駆動手段の速度を２００ｐｐｓ以下にすると共に、前記駆動手段の励磁方法を励磁される励磁相が１つ又は２つに交互に切替わる１−２相励磁にすることを特徴とする遊技機である。
【手続補正５】
【補正対象書類名】明細書
【補正対象項目名】０００７
【補正方法】変更
【補正の内容】
【０００７】
本発明の遊技機によれば、可動体が移動し始めるときの挙動を安定させることが可能である。
【手続補正書】
【提出日】令和3年1月5日(2021.1.5)
【手続補正１】
【補正対象書類名】特許請求の範囲
【補正対象項目名】請求項１
【補正方法】変更
【補正の内容】
【請求項１】
キャビネットと、
フロントドアと、
ドアセンサと
を備え、
前記キャビネットの下部には、第１閉塞部が設けられており、
前記第１閉塞部は、前記フロントドアが閉鎖されている状態において、前記フロントドア方向へ向けて突出しており、
前記フロントドアの下部には、第２閉塞部と第３閉塞部とが設けられており、
前記第２閉塞部は、前記フロントドアが閉鎖されている状態において、前記キャビネット方向へ向けて突出しており、
前記第３閉塞部は、前記フロントドアが閉鎖されている状態において、前記キャビネット方向へ向けて突出しており、
前記フロントドアが閉鎖されている状態において、前記第２閉塞部と前記第３閉塞部との間に前記第１閉塞部が配置されている箇所があるように構成されており、
前記フロントドアが閉鎖されている状態から前記フロントドアが開放される場合において、前記ドアセンサが前記フロントドアの開放を最初に検知するときの前記フロントドアの位置を検知開始位置とし、
前記フロントドアが前記検知開始位置にある状態において、前記第２閉塞部と前記第３閉塞部との間に前記第１閉塞部が配置されている箇所があるように構成されている
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
キャビネット（１３）と、
フロントドア（１２）と、
ドアセンサと
を備え、
前記キャビネットの下部には、第１閉塞部（１３ｃ）が設けられており、
前記第１閉塞部は、前記フロントドアが閉鎖されている状態において、前記フロントドア方向へ向けて突出しており、
前記フロントドアの下部には、第２閉塞部（１２ａ）と第３閉塞部（１２ｂ）とが設けられており、
前記第２閉塞部は、前記フロントドアが閉鎖されている状態において、前記キャビネット方向へ向けて突出しており、
前記第３閉塞部は、前記フロントドアが閉鎖されている状態において、前記キャビネット方向へ向けて突出しており、
前記フロントドアが閉鎖されている状態において、前記第２閉塞部と前記第３閉塞部との間に前記第１閉塞部が配置されている箇所があるように構成されており、
前記フロントドアが閉鎖されている状態から前記フロントドアが開放される場合において、前記ドアセンサが前記フロントドアの開放を最初に検知するときの前記フロントドアの位置を検知開始位置とし、
前記フロントドアが前記検知開始位置にある状態において、前記第２閉塞部と前記第３閉塞部との間に前記第１閉塞部が配置されている箇所があるように構成されている
ことを特徴とする。
【手続補正書】
【提出日】令和3年1月21日(2021.1.21)
【手続補正１】
【補正対象書類名】特許請求の範囲
【補正対象項目名】請求項１
【補正方法】変更
【補正の内容】
【請求項１】
キャビネットと、
フロントドアと、
ドアセンサと、
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と、
演算機能を備えた所定のＩＣと、
所定の制御基板と、
所定の制御基板を収容する基板ケースと
を備え、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面に対して垂直な方向における所定のＩＣと重なる範囲には、ゲート跡を有さないよう構成されており、
キャビネットの下部には、第１閉塞部が設けられており、
第１閉塞部は、フロントドアが閉鎖されている状態において、フロントドア方向へ向けて突出しており、
フロントドアの下部には、第２閉塞部と第３閉塞部とが設けられており、
第２閉塞部は、フロントドアが閉鎖されている状態において、キャビネット方向へ向けて突出しており、
第３閉塞部は、フロントドアが閉鎖されている状態において、キャビネット方向へ向けて突出しており、
フロントドアが閉鎖されている状態において、第２閉塞部と第３閉塞部との間に第１閉塞部が配置されている箇所があるように構成されており、
フロントドアが閉鎖されている状態からフロントドアが開放される場合において、ドアセンサがフロントドアの開放を最初に検知するときのフロントドアの位置を検知開始位置とし、
フロントドアが検知開始位置にある状態において、第２閉塞部と第３閉塞部との間に第１閉塞部が配置されている箇所があるように構成されている
遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
キャビネット（１３）と、
フロントドア（１２）と、
ドアセンサと、
遊技メダル投入口（メダル投入口４７）と、
遊技メダル投入口から投入された遊技メダルが通過する通路中に設けられ、遊技メダルを検知し得る検知手段Ａ（投入センサ４４ａ）及び検知手段Ｂ（投入センサ４４ｂ）（検知手段Ｂは、検知手段Ａより下流側に位置する）と、
演算機能を備えた所定のＩＣ（メインＣＰＵ５５）と、
所定の制御基板（メイン制御基板５０）と、
所定の制御基板を収容する基板ケース（基板ケース５６）と
を備え、
基板ケースは上カバー（上カバー５７）と下カバー（下カバー５８）とから構成されており、
上カバーの或る面には、上カバーの成型時のゲート跡（ゲート跡５７ｂ及び５８ｂ）を有し、
所定の制御基板の一方の面には所定のＩＣが搭載されており、
基板ケースに所定の制御基板が収容されている状態では、上カバーを介して所定のＩＣが視認可能となっており、
上カバーの或る面に対して垂直な方向における所定のＩＣと重なる範囲には、ゲート跡を有さないよう構成されており、
キャビネットの下部には、第１閉塞部（第１閉塞部１３ｃ）が設けられており、
第１閉塞部は、フロントドアが閉鎖されている状態において、フロントドア方向へ向けて突出しており、
フロントドアの下部には、第２閉塞部（第２閉塞部１２ａ）と第３閉塞部（第３閉塞部１２ｂ）とが設けられており、
第２閉塞部は、フロントドアが閉鎖されている状態において、キャビネット方向へ向けて突出しており、
第３閉塞部は、フロントドアが閉鎖されている状態において、キャビネット方向へ向けて突出しており、
フロントドアが閉鎖されている状態において、第２閉塞部と第３閉塞部との間に第１閉塞部が配置されている箇所があるように構成されており、
フロントドアが閉鎖されている状態からフロントドアが開放される場合において、ドアセンサがフロントドアの開放を最初に検知するときのフロントドアの位置を検知開始位置とし、
フロントドアが検知開始位置にある状態において、第２閉塞部と第３閉塞部との間に第１閉塞部が配置されている箇所があるように構成されている。
【手続補正書】
【提出日】令和3年1月21日(2021.1.21)
【手続補正１】
【補正対象書類名】特許請求の範囲
【補正対象項目名】請求項１
【補正方法】変更
【補正の内容】
【請求項１】
キャビネットと、
フロントドアと、
ドアセンサと、
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルを検知手段Ａが検知する時から、当該遊技メダルを検知手段Ｂが検知して当該遊技メダルを検知手段Ａが検知しなくなり当該遊技メダルを検知手段Ｂが検知しなくなる時までの期間の設計値をＴ２としたとき、
Ｔ１＜Ｔ２
となっており、
キャビネットの下部には、第１閉塞部が設けられており、
第１閉塞部は、フロントドアが閉鎖されている状態において、フロントドア方向へ向けて突出しており、
フロントドアの下部には、第２閉塞部と第３閉塞部とが設けられており、
第２閉塞部は、フロントドアが閉鎖されている状態において、キャビネット方向へ向けて突出しており、
第３閉塞部は、フロントドアが閉鎖されている状態において、キャビネット方向へ向けて突出しており、
フロントドアが閉鎖されている状態において、第２閉塞部と第３閉塞部との間に第１閉塞部が配置されている箇所があるように構成されており、
フロントドアが閉鎖されている状態からフロントドアが開放される場合において、ドアセンサがフロントドアの開放を最初に検知するときのフロントドアの位置を検知開始位置とし、
フロントドアが検知開始位置にある状態において、第２閉塞部と第３閉塞部との間に第１閉塞部が配置されている箇所があるように構成されている
遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
キャビネット（１３）と、
フロントドア（１２）と、
ドアセンサと、
遊技メダル投入口（メダル投入口４７）と、
遊技メダル投入口から投入された遊技メダルが通過する通路中に設けられ、遊技メダルを検知し得る検知手段Ａ（投入センサ４４ａ）及び検知手段Ｂ（投入センサ４４ｂ）（検知手段Ｂは、検知手段Ａより下流側に位置する）と
を備え、
所定の状況にて、電源の供給が遮断される事象が発生した時から、当該電源の供給が遮断される事象を検知し、電源断処理を実行する時までの期間の設計値をＴ１（図５中、「Ｔ１」）とし、
所定の状況にて、遊技メダル投入口から遊技メダルが投入される場合における、当該遊技メダルを検知手段Ａが検知する時から、当該遊技メダルを検知手段Ｂが検知して当該遊技メダルを検知手段Ａが検知しなくなり当該遊技メダルを検知手段Ｂが検知しなくなる時までの期間の設計値をＴ２（図２及び図５中、「Ｔ３」）としたとき、
Ｔ１＜Ｔ２
となっており、
キャビネットの下部には、第１閉塞部（第１閉塞部１３ｃ）が設けられており、
第１閉塞部は、フロントドアが閉鎖されている状態において、フロントドア方向へ向けて突出しており、
フロントドアの下部には、第２閉塞部（第２閉塞部１２ａ）と第３閉塞部（第３閉塞部１２ｂ）とが設けられており、
第２閉塞部は、フロントドアが閉鎖されている状態において、キャビネット方向へ向けて突出しており、
第３閉塞部は、フロントドアが閉鎖されている状態において、キャビネット方向へ向けて突出しており、
フロントドアが閉鎖されている状態において、第２閉塞部と第３閉塞部との間に第１閉塞部が配置されている箇所があるように構成されており、
フロントドアが閉鎖されている状態からフロントドアが開放される場合において、ドアセンサがフロントドアの開放を最初に検知するときのフロントドアの位置を検知開始位置とし、
フロントドアが検知開始位置にある状態において、第２閉塞部と第３閉塞部との間に第１閉塞部が配置されている箇所があるように構成されている。
【手続補正書】
【提出日】令和3年1月21日(2021.1.21)
【手続補正１】
【補正対象書類名】特許請求の範囲
【補正対象項目名】請求項１
【補正方法】変更
【補正の内容】
【請求項１】
遊技メダル投入口と、
遊技メダル投入口から投入された遊技メダルが通過する通路中に設けられ、遊技メダルを検知し得る検知手段Ａ及び検知手段Ｂ（検知手段Ｂは、検知手段Ａより下流側に位置する）と、
演算機能を備えた所定のＩＣと、
所定の制御基板と、
所定の制御基板を収容する基板ケースと
を備え、
所定の状況にて、電源の供給が遮断される事象が発生した時から、当該電源の供給が遮断される事象を検知し、電源断処理を実行する時までの期間の設計値をＴ１とし、
所定の状況にて、遊技メダル投入口から遊技メダルが投入される場合における、当該遊技メダルが投入される時から、当該遊技メダルを検知手段Ａが検知する時までの期間の設計値をＴ２としたとき、
Ｔ１＜Ｔ２
となっており、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面に対して垂直な方向における所定のＩＣと重なる範囲には、ゲート跡を有さないよう構成されている
遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
遊技メダル投入口（メダル投入口４７）と、
遊技メダル投入口から投入された遊技メダルが通過する通路中に設けられ、遊技メダルを検知し得る検知手段Ａ（投入センサ４４ａ）及び検知手段Ｂ（投入センサ４４ｂ）（検知手段Ｂは、検知手段Ａより下流側に位置する）と、
演算機能を備えた所定のＩＣ（メインＣＰＵ５５）と、
所定の制御基板（メイン制御基板５０）と、
所定の制御基板を収容する基板ケース（基板ケース５６）と
を備え、
所定の状況にて、電源の供給が遮断される事象が発生した時から、当該電源の供給が遮断される事象を検知し、電源断処理を実行する時までの期間の設計値をＴ１（図５中、「Ｔ１」）とし、
所定の状況にて、遊技メダル投入口から遊技メダルが投入される場合における、当該遊技メダルが投入される時から、当該遊技メダルを検知手段Ａが検知する時までの期間の設計値をＴ２（図２中、メダルＭがＭ２に位置する瞬間からＭ３に位置する瞬間までの時間）としたとき、
Ｔ１＜Ｔ２
となっており、
基板ケースは上カバー（上カバー５７）と下カバー（下カバー５８）とから構成されており、
上カバーの或る面には、上カバーの成型時のゲート跡（ゲート跡５７ｂ及び５８ｂ）を有し、
所定の制御基板の一方の面には所定のＩＣが搭載されており、
基板ケースに所定の制御基板が収容されている状態では、上カバーを介して所定のＩＣが視認可能となっており、
上カバーの或る面に対して垂直な方向における所定のＩＣと重なる範囲には、ゲート跡を有さないよう構成されている。